(57)【要約】【課題】焦点板の配置精度確保と、ファインダでスルー画像を観察することによる利便性とを両立させる。【解決手段】厚みの薄い有機ＥＬ素子など自発光性の素子を用いた表示装置６０を、焦点板５０とペンタプリズム１０１との間の光学光路中で焦点板５０の直上に挿抜されるように構成した。これにより、表示装置６０の光学光路中への挿入に際して、焦点板５０を移動する必要がなくなり、焦点板５０の配置精度確保と、ファインダでスルー画像を観察することによる利便性とを両立できる。【選択図】図１
2008158441.tif 000002
【特許請求の範囲】
【請求項１】
観察する対象物の中間像が結像する光学部材と、
発光する表示部材と、
前記光学部材を移動させることなく、前記対象物を観察する光学光路中に前記表示部材を挿抜する表示部材移動手段とを備えることを特徴とする観察装置。
【請求項２】
請求項1に記載の観察装置において、
前記表示部材は、前記対象物を観察する光学光路中であって、前記光学部材とは異なる位置であり、かつ、前記中間像の結像位置とは異なる位置に挿入されることを特徴とする観察装置。
【請求項３】
接眼部を有するファインダ光学系を備えるカメラにおいて、
被写体像を撮像する撮像手段と、
前記被写体像の中間像が結像する焦点板と、
発光する表示部材と、
前記焦点板よりも前記接眼部側の光路中に前記表示部材を挿抜する表示部材移動手段とを備えることを特徴とするカメラ。
【請求項４】
請求項３に記載のカメラにおいて、
ファインダ光学系による前記被写体像の観察時に前記被写体像を反射して前記ファインダ光学系へ導く位置と、撮影時に前記被写体像を前記撮像手段へ向かわせる位置とに切り替えるミラーと、
前記ミラーの位置を切り替える切り替え手段とをさらに備え、
前記表示部材は、前記切り替え手段による前記ミラーの位置の切り替えに連動して前記光路中に挿抜されることを特徴とするカメラ。
【請求項５】
請求項３または請求項４に記載のカメラにおいて、
前記表示手段は、前記ファインダ光学系の光路の光軸に垂直に挿抜されることを特徴とするカメラ。
【請求項６】
請求項３〜５のいずれか一項に記載のカメラにおいて、
前記表示部材は、前記撮像手段が捉えた前記被写体像を表示することを特徴とするカメラ。
【請求項７】
請求項６に記載のカメラにおいて、
前記表示手段は、前記被写体像を撮像する際の撮像条件を表示することを特徴とするカメラ。
【発明の詳細な説明】
【技術分野】
【０００１】
本発明は、対象物を観察する観察装置およびカメラに関する。
【背景技術】
【０００２】
光学ファインダを備えた一眼レフカメラにおいて、焦点板と切り替え可能に表示装置を挿入する技術が知られている（特許文献１参照）。
【０００３】
【特許文献１】特開昭５８−１０６５３０号公報
【発明の開示】
【発明が解決しようとする課題】
【０００４】
従来のカメラでは、焦点板の結像面と、表示装置の表示面とを略一致させる必要がある。しかし、高い配置精度が要求される焦点板を移動することは好ましくない。
【課題を解決するための手段】
【０００５】
（１）  請求項１の発明による観察装置は、観察する対象物の中間像が結像する光学部材と、発光する表示部材と、光学部材を移動させることなく、対象物を観察する光学光路中に表示部材を挿抜する表示部材移動手段とを備えることを特徴とする。
（２）  請求項２の発明は、請求項1に記載の観察装置において、表示部材は、対象物を観察する光学光路中であって、光学部材とは異なる位置であり、かつ、中間像の結像位置とは異なる位置に挿入されることを特徴とする。
（３）  請求項３の発明の発明によるカメラは、接眼部を有するファインダ光学系を備えるカメラにおいて、被写体像を撮像する撮像手段と、被写体像の中間像が結像するファインダ発光する表示部材と、焦点板よりも接眼部側の光路中に表示部材を挿抜する表示部材移動手段とを備えることを特徴とする。
（４）  請求項４の発明は、請求項３に記載のカメラにおいて、ファインダ光学系による被写体像の観察時に被写体像を反射してファインダ光学系へ導く位置と、撮影時に被写体像を撮像手段へ向かわせる位置とに切り替えるミラーと、ミラーの位置を切り替える切り替え手段とをさらに備え、表示部材は、切り替え手段によるミラーの位置の切り替えに連動して光路中に挿抜されることを特徴とする。
（５）  請求項５の発明は、請求項３または請求項４に記載のカメラにおいて、表示手段は、ファインダ光学系の光路の光軸に垂直に挿抜されることを特徴とする。
（６）  請求項６の発明は、請求項３〜５のいずれか一項に記載のカメラにおいて、表示部材は、撮像手段が捉えた被写体像を表示することを特徴とする。
（７）  請求項７の発明は、請求項６に記載のカメラにおいて、表示手段は、被写体像を撮像する際の撮像条件を表示することを特徴とする。
【発明の効果】
【０００６】
本発明によれば、焦点板を移動させる必要がなく、焦点板の配置精度確保の点で優れている。
【発明を実施するための最良の形態】
【０００７】
図１〜１０を参照して、本発明による観察装置をカメラに適用した一実施の形態を説明する。図１（ａ）は、本発明を適用したカメラである一眼レフタイプのカメラボディ１を正面から見た断面図であり、図１（ｂ）は、カメラボディ１を側面から見た断面図である。カメラボディ１には、メインスイッチ２と、レリーズボタン３とが設けられている。１ａは被写体像を観察するファインダの接眼部である。
【０００８】
カメラボディ１の前部には、不図示の交換レンズが着脱可能に取り付けられるレンズマウント１６が設けられている。カメラボディ１の内部には、被写体光束を後述するファインダユニット１００へと導くメインミラー１１が設けられている。メインミラー１１の後方（背面側）には不図示のサブミラーが設けられており、サブミラーは焦点検出を行うＡＦセンサ１２へ被写体光束を導く。メインミラー１１およびサブミラーは回動可能に設けられており、レリーズ動作時および後述するスルー画像表示時には撮影光路から退避する。ＡＦセンサ１２はメインミラー１１の下部に配設されている。
【０００９】
メインミラー１１の背面側撮影光路上には、シャッタ１３、および撮像ユニット１４が前方から順に設けられている。シャッタ１３は、不図示の撮影開口を遮蔽して撮像ユニット１４を遮光する閉状態と、撮影開口を開放して撮像ユニット１４に被写体像を導く開状態との間で開閉動作を行う一組の遮光羽根を有する機構である。撮像ユニット１４は、撮像素子１５と、撮像素子１５の前方に配設された光学フィルタ１６とを備えている。撮像素子１５は、たとえばＣＣＤなどのように、被写体光による像を撮像して撮像信号を出力する素子である。光学フィルタ１６は、赤外光をカットする赤外カットフィルタとしての機能と、モアレを防止するローパスフィルタとしての機能を兼ね備えたフィルタである。
【００１０】
正面から見たときのカメラボディ１の左側には、カメラボディ１の各部を制御する制御回路２１と、シーケンス駆動機構２２と、ミラー駆動機構２３とが設けられている。カメラボディ１の背面側には背面液晶装置２４が設けられている。電池２５は、カメラボディ１の下部に左右方向に延在するように配設されている。制御回路２１はＣＰＵとその周辺部品を備え、撮像素子１５の駆動制御、撮像画像の処理、交換レンズの焦点検出および焦点調節、絞りの制御、背面液晶装置２４の表示制御、シーケンス駆動機構２２の制御など、カメラ全体の制御を行う。
【００１１】
シーケンス駆動機構２２は不図示のシーケンスモータを含む駆動機構であり、制御回路２１からの指令に応じて、ミラー駆動機構２３の駆動やシャッタチャージなどを行う。ミラー駆動機構２３はシーケンス駆動機構２２から伝達される動力によってメインミラー１１およびサブミラーを回動させる駆動機構である。背面液晶装置２４は上述したようにカメラボディ１の背面側に設けられた表示装置であり、スルー画像（ライブビュー画像またはライブプレビュー画像ともいう）や各種情報を表示する。スルー画像は、本撮影の前段階として撮像素子１５で繰り返し取得される予備撮影画像である。
【００１２】
カメラボディ１の上部にはファインダユニット１００が取り付けられている。図２はファインダユニット１００の分解図であり、図３は、ファインダユニット１００の下部を下側斜め前方から見たときの分解図である。ファインダユニット１００には、入射光軸ＡＸ（図１）に沿って、図２に示すように被写体側から順に、メインミラー１１からの像が結像する焦点板５０と、ファインダ視野の大きさを決定する第１視野枠５１と、表示装置６０と、第２視野枠５２と、ペンタプリズム１０１と、接眼レンズ１０２とが設けられている。
【００１３】
これらファインダ光学系を構成する各要素５０，５１，５２，６０，１０１，１０２は、ファインダケース１１０に取り付けられている。ファインダケース１１０については後述する。ファインダユニット１００は、ファインダケース１１０がカメラボディ１の上部に取り付けられると、焦点板５０が撮像素子１５と光学的に共役な位置に配設されるように構成されている。
【００１４】
第１視野枠５１は、従来のカメラのファインダ光学系に用いられている、ファインダ視野の大きさを決定する視野枠と同じものである。第２視野枠５２は、後述する表示装置６０からの迷光を防止するための視野枠である。第２視野枠５２は、焦点板５０に結像された被写体像、または、後述するように表示装置６０に表示されたスルー画像を観察可能とする第１開口部５２ａと、表示装置６０に表示される撮影条件等の表示内容を観察可能とする第２開口部５２ｂとを有する（図２）。
【００１５】
ファインダケース１１０は上側ケース１２０と下側ケース１３０とを有する（図２）。上側ケース１２０は、ファインダケース１１０の上側部分であり、ペンタプリズム１０１、接眼レンズ１０２、第２視野枠５２が取り付けられる。上側ケース１２０の右側には、表示装置上側格退避部１２１が設けられている。表示装置上側退避部１２１には、後述するように焦点板５０とペンタプリズム１０１との間の光学光路から退避した表示装置６０が格納される。下側ケース１３０は、上側ケース１２０の底面を覆うように設けられる部材であり、表示装置上側退避部１２１と対向する表示装置下側退避部１３１と、焦点板５０とペンタプリズム１０１との間の光学光路に対応する開口部１３２とを有する。下側ケース１３０には、焦点板５０と、第１視野枠５１と、後述する表示装置駆動部１４０とが取り付けられている。
【００１６】
図４に示すように、表示装置６０は厚みの薄い有機ＥＬ素子など自発光性の素子を用いた表示装置であり、後述するように焦点板５０とペンタプリズム１０１との間の光学光路中に、光路の光軸に対して垂直に挿抜されて、スルー画像や各種情報を表示する。表示装置６０は、焦点板５０とペンタプリズム１０１との間の光学光路（以下、単に光路または光学光路と呼ぶことがある）中に挿入されると、表示面の向き、すなわち表示面に垂直となる方向が光路の光軸方向と一致する。表示装置６０は電気的に駆動される表示装置であり、フレキシブルプリント基板（以下ＦＰＣと呼ぶ）２５０を介して、制御回路２１に接続されている。表示装置６０は、枠部品６１に取り付けられている。
【００１７】
図５（ａ）〜（ｃ）は、ファインダケース１１０の下部を前方から見たときの断面を模式的に表す図である。なお、説明の便宜上、図５（ａ）〜（ｃ）では、縦方向の長さが横方向の長さよりも長くなるように記載し、第２視野枠５２や、後述する摺動レール１２３，１３３や枠部品６１等の記載を省略している。さらに図５（ａ）では表示装置６０の記載も省略している。下側ケース１３０が上側ケース１２０の底面に取り付けられると、焦点板５０とペンタプリズム１０１との間の光学光路中に、光路の光軸に対して表示装置６０が垂直に挿抜されるように表示装置６０を格納する格納部１５０が形成される（図５（ａ））。
【００１８】
格納部１５０は、焦点板５０とペンタプリズム１０１との間の光学光路中の空間であって、この光学光路中に挿入された表示装置６０が位置する表示装置挿入部１５１と、この光学光路から退避した表示装置６０が位置する空間である表示装置退避部１５２とを有する。なお、表示装置退避部１５２は、表示装置上側退避部１２１と表示装置下側退避部１３１とによって囲まれた空間に該当する。
【００１９】
以下の説明では、図５（ｂ）に示すように、表示装置６０が表示装置挿入部１５１に挿入されたときの表示装置６０の位置を挿入位置と呼び、図５（ｃ）に示すように、表示装置６０が表示装置退避部１５２に退避したときの表示装置６０の位置を退避位置と呼ぶ。図６は、ファインダユニット１００の下部を下側斜め前方から見たときの、挿入位置に移動した表示装置６０を示す図であり、図５（ｂ）に対応する。図７は、ファインダユニット１００の下部を下側斜め前方から見たときの、退避位置に移動した表示装置６０を示す図であり、図５（ｃ）に対応する。
【００２０】
格納部１５０には、上側ケース１２０側および下側ケース１３０側のそれぞれに、表示装置６０が挿入位置と退避位置との間を移動可能とするように摺動レール１２３，１３３が設けられている（図２，３）。枠部品６１が摺動レール１２３，１３３に対して摺動して移動することで、表示装置６０が挿入位置と退避位置との間を移動する。なお、枠部品６１は表示装置駆動部１４０と連結されており（図１）、表示装置駆動部１４０によって、表示装置６０とともに挿入位置と退避位置との間で移動するように駆動される。
【００２１】
表示装置駆動部１４０は、上述したように枠部品６１および表示装置６０を駆動する駆動部であり、たとえばステッピングモータとリードスクリューとによって直動機構が構成されている。なお、この直動機構は一例であり、枠部品６１および表示装置６０を挿入位置と退避位置との間で移動させることができれば上述した構成に限定されない。
【００２２】
表示装置６０が配設される空間である、表示装置挿入部１５１および表示装置退避部１５２は、防塵および遮光のため、上側ケース１２０、下側ケース１３０、焦点板５０、および、ペンタプリズム１０１によって密閉されている（図５（ａ））。表示装置６０に接続されたＦＰＣ２５０は、格納部１５０の気密性を損なうことなく、表示装置退避部１５２の右側端部に設けられた、不図示のＦＰＣ引き出し口から引き出されている。なお、図示はしていないが、表示装置退避部１５２は、表示装置６０の左右方向への移動に伴って表示装置退避部１５２の内部でＦＰＣ２５０が撓んで変形することができるように形成されている。
【００２３】
表示装置６０が退避位置に退避している場合、焦点板５０とペンタプリズム１０１との間の光学光路が表示装置６０で遮られない。このため、メインミラー１１がミラーダウンしていれば、焦点板５０で結像された被写体像が、ペンタプリズム１０１および接眼レンズ１０２を介して観察可能となる。図８（ａ）は、ペンタプリズム１０１および接眼レンズ１０２を介して観察される、焦点板５０で結像された被写体像を示す図である。
【００２４】
なお、撮影者がファインダを覗いた際に観察できるのは、図８（ａ）における枠Ａで囲った部分である。焦点板５０とペンタプリズム１０１との間には第２視野枠５２が配設されているので、第２視野枠５２の第１開口部５２ａを介して焦点板５０上の被写体像が、第２視野枠５２の第２開口部５２ｂを介して表示装置６０に表示された撮影条件の表示が、撮影者にとって視認可能となる。表示装置６０には、退避位置に退避した表示装置６０の第２視野枠５２の第２開口部５２ｂに対向する（対応する）範囲に撮影条件が表示される。
【００２５】
図9（ａ）は、ペンタプリズム１０１、焦点板５０、および、表示装置６０をカメラボディ１の正面から見た断面図であり、表示装置６０が退避位置に退避している状態を示している。図9（ａ）に示すように、第２視野枠５２の第１開口部５２ａを介した焦点板５０からの光束ＬＦ１と、第２視野枠５２の第２開口部５２ｂを介した表示装置６０からの光束ＬＦ２がペンタプリズム１０１の底面から入射する。ここで、ファインダで観察される像はペンタプリズム１０１によって左右が反転されるため、カメラボディ１の正面から見てペンタプリズム１０１の底面の右側に入射した光束による像は、ファインダを覗いた撮影者には、右側に見えることとなる。
【００２６】
表示装置６０が挿入位置に移動した場合、焦点板５０とペンタプリズム１０１との間の光学光路が表示装置６０で遮られる。そのため、撮影者がファインダを覗いても焦点板５０で結像された被写体像を観察することはできないが、図８（ｂ）に示すように、表示装置６０に表示された表示内容を観察することができる。なお、撮影者がファインダを覗いた際に観察できるのは、図８（ｂ）における枠Ａで囲った部分である。この場合、第２視野枠５２の第１開口部５２ａを介して表示装置６０の表示内容（たとえばスルー画像）が、第２視野枠５２の第２開口部５２ｂを介して表示装置６０に表示された撮影条件の表示が観察可能となる。表示装置６０には、挿入位置に移動した表示装置６０の、第２視野枠５２の第１開口部５２ａに対応する範囲にたとえばスルー画像が表示され、第２開口部５２ｂに対応する範囲に撮影条件が表示される。
【００２７】
図9（ｂ）は、ペンタプリズム１０１、焦点板５０、および、表示装置６０をカメラボディ１の正面から見た断面図であり、表示装置６０が挿入位置に移動した後の状態を示している。図9（ｂ）に示すように、第２視野枠５２の第１開口部５２ａを介した表示装置６０からの光束ＬＦ３と、第２視野枠５２の第２開口部５２ｂを介した表示装置６０からの光束ＬＦ４がペンタプリズム１０１の底面から入射する。
【００２８】
このように、表示装置６０は、焦点板５０を移動することなく焦点板５０とペンタプリズム１０１との間の光学光路中に挿抜される。なお、表示装置６０は、焦点板５０とペンタプリズム１０１との間の光学光路中で焦点板５０の結像位置とは異なる位置に挿入されるが、表示装置６０の厚みが薄いこと、および、表示装置６０が焦点板５０にごく近い位置に配設されることから、接眼レンズ１０２側で特にピント位置を調節しなくても焦点板５０に結像した被写体像および表示装置６０に表示された表示内容の双方を鮮明に視認できる。なお、焦点深度が深くなるように接眼レンズ１０２側を構成してもよい。また、表示装置６０の表示面と焦点板５０との距離が短くなるように、表示装置６０を枠部品６１の下側に取り付けることが望ましい。
【００２９】
このように構成されるカメラボディ１では、メインスイッチ２がオンされると、撮影待機状態となる。ここで、スルー画像の表示を行わないように設定されている場合には、メインミラー１１は撮影光路中に位置して被写体光束をファインダユニット１００へと導くミラーダウン位置となる。表示装置６０は表示装置駆動部１４０によって退避位置に移動される。その結果、図８（ａ）に示すように、焦点板５０で結像された被写体像が、ペンタプリズム１０１および接眼レンズ１０２を介して観察可能となる。
【００３０】
なお、上述したように、退避位置に退避した表示装置６０の、第２視野枠５２の第２開口部５２ｂに対向する範囲に撮影条件が表示される。したがって、撮影者は、第２視野枠５２の第１開口部５２ａを介して焦点板５０上の被写体像を、第２視野枠５２の第２開口部５２ｂを介して表示装置６０に表示された撮影条件の表示を視認可能である（図８（ａ））。
【００３１】
レリーズボタン３が押圧されると、シーケンス駆動機構２２およびミラー駆動機構２３によってメインミラー１１がミラーアップ位置に回動される。そして制御回路２１で測距、測光等の演算がなされ、シャッタ１３が所定時間だけ開状態とされて、不図示のモード設定ダイヤルの設定に応じた撮影モードで、交換レンズを介した被写体像が撮像素子１５で撮像される。撮像素子１５から出力された撮像信号は、不図示の画像処理回路で公知の画像処理が施され、画像データとして不図示の記憶手段に記録される。
【００３２】
撮影終了後、背面液晶装置２４に撮像素子１５で撮像されて取得された画像（レックレビュー画像）が所定時間だけ表示される。また、撮影終了後は、各部のリセット、チャージ動作が行われるとともに、シーケンス駆動機構２２およびミラー駆動機構２３によってメインミラー１１が再びミラーダウン位置に回動されて、撮影待機状態に戻る。
【００３３】
表示装置６０にスルー画像を表示するように設定された場合には、メインミラー１１はシーケンス駆動機構２２およびミラー駆動機構２３によってミラーアップ位置に回動され、表示装置６０は表示装置駆動部１４０によって挿入位置に移動される。このように、表示装置６０は、シーケンス駆動機構２２およびミラー駆動機構２３によるメインミラー１１の位置の切り替えに連動して、焦点板５０とペンタプリズム１０１との間の光学光路中に挿抜される。
【００３４】
シャッタ１３は、撮像素子１５に被写体光を導くように開状態に制御される。これにより撮像素子１５で被写体を繰り返し撮像できる。そして、表示装置６０には、撮像素子１５で取得されるスルー画像が表示される。その結果、図８（ｂ）に示すように、表示装置６０に表示されるスルー画像と撮影条件の表示とが、ペンタプリズム１０１および接眼レンズ１０２を介して観察可能となる。
【００３５】
レリーズボタン３が押圧されると、制御回路２１で測距、測光等の演算がなされ、一旦シャッタ１３が閉状態とされた後、再びシャッタ１３が所定時間だけ開状態とされて、不図示のモード設定ダイヤルの設定に応じた撮影モードで、交換レンズを介した被写体像が撮像素子１５で撮像される。撮影終了後、表示装置６０にレックレビュー画像が所定時間だけ表示され、その後再びスルー画像が表示される。撮影終了後は、各部のリセット、チャージ動作が行われるが、メインミラー１１はミラーアップ位置に回動されたままとなる。
【００３６】
背面液晶装置２４にスルー画像を表示するように設定された場合には、シーケンス駆動機構２２およびミラー駆動機構２３によってメインミラー１１がミラーアップ位置に回動される。表示装置６０は表示装置駆動部１４０によって退避位置に移動される。シャッタ１３は、撮像素子１５に被写体光を導くように開状態に制御される。これにより撮像素子１５で被写体を繰り返し撮像できる。そして、背面液晶装置２４には、撮像素子１５で取得されるスルー画像が表示される。
【００３７】
レリーズボタン３が押圧されると、制御回路２１で測距、測光等の演算がなされ、一旦シャッタ１３が閉状態とされた後、再びシャッタ１３が所定時間だけ開状態とされて、不図示のモード設定ダイヤルの設定に応じた撮影モードで、交換レンズを介した被写体像が撮像素子１５で撮像される。撮影終了後、背面液晶装置２４にレックレビュー画像が所定時間だけ表示され、その後再びスルー画像が表示される。撮影終了後は、各部のリセット、チャージ動作が行われるが、メインミラー１１はミラーアップ位置に回動されたままとなる。
【００３８】
−−−フローチャート−−−
図１０は、被写体像の撮像の際にカメラボディ１で行われる処理についてのフローチャートを示す図である。図１０のフローチャートによるプログラムは、メインスイッチ２がオンされると起動して制御回路２１で実行される。ステップＳ１において、スルー画像を表示するライブビューモードに設定されているか否かを判断する。なお、ライブビューモードに設定するか否かは、不図示のモード設定ダイヤルによって設定される。
【００３９】
ステップＳ１において、ライブビューモードに設定されていると判断されるとステップＳ３へ進み、メインミラー１１をミラーアップ位置に回動するようにシーケンス駆動機構２２を制御してステップＳ５へ進む。ステップＳ５において、撮影開口を開放するようにシャッタ１３を制御するとともに、撮像素子１５で得られる被写体像の明るさを制御する露光制御を行ってステップＳ７へ進む。ステップＳ７において、スルー画像をファインダ側で観察するか、または、背面液晶装置２４で観察するかを切り替える表示切替設定の設定状態を判断する。なお、この表示切替設定は、不図示のモード設定ダイヤルによって設定される。
【００４０】
ステップＳ７において、スルー画像をファインダ側で観察するように設定されていると判断されるとステップＳ９へ進み、表示装置６０を挿入位置に挿入するように表示装置駆動部１４０を制御してステップＳ１１へ進む。ステップＳ１１において、図８（ｂ）に示すように、表示装置６０にスルー画像と撮影条件とを表示してステップＳ１７へ進む。ステップＳ１７において、レリーズボタン３が押圧されてレリーズ信号が入力されるまで待機する。ステップＳ１７が肯定判断されるとステップＳ１９へ進み、公知の測光、測距の制御を行う。なお、ステップＳ１９における測光および測距は、撮像素子１５を用いた、いわゆる像面ＡＥ、像面ＡＦである。
【００４１】
ステップＳ２１において、撮影開口を遮光するようにシャッタ１３を制御するとともに、スルー画像の表示を中止してステップＳ２３へ進む。ステップＳ２３において、所定時間だけ撮影開口を開放するようにシャッタ１３を制御するとともに、いわゆる電子シャッタと呼ばれる撮像素子１５による露光制御を行ってステップＳ２５へ進む。ステップＳ２５において、ステップＳ２３で得られた被写体像の画像データを記録する処理、および、公知の各部のチャージを行うようシーケンス駆動機構２２を制御してステップＳ２７へ進む。
【００４２】
ステップＳ２７において、撮影開口を開放するようにシャッタ１３を制御するとともに、撮像素子１５で得られる被写体像の明るさを制御する露光制御を行ってステップＳ２９へ進む。ステップＳ２９において、スルー画像をファインダ側で観察するか、または、背面液晶装置２４で観察するかを切り替える表示切替設定の設定状態を判断する。ステップＳ２９において、スルー画像をファインダ側で観察するように設定されていると判断されるとステップＳ３１へ進み、表示装置６０に所定時間だけレックレビュー表示を行うように制御する。すなわち、ステップＳ２３で撮像して得られた被写体像の画像を表示装置６０に所定時間だけ表示させる。
【００４３】
ステップＳ３１が実行されるとステップＳ３３へ進み、図８（ｂ）に示すように、表示装置６０にスルー画像と撮影条件とを表示してリターンする。
【００４４】
ステップＳ７において、スルー画像を背面液晶装置２４で観察するように設定されていると判断されるとステップＳ１３へ進み、表示装置６０を退避位置に退避させるように表示装置駆動部１４０を制御してステップＳ１５へ進む。ステップＳ１５において、背面液晶装置２４にスルー画像と撮影条件とを表示してステップＳ１７へ進む。
【００４５】
ステップＳ２９において、スルー画像を背面液晶装置２４で観察するように設定されていると判断されるとステップＳ３５へ進み、背面液晶装置２４に所定時間だけレックレビュー表示を行うように制御してステップＳ３７へ進む。ステップＳ３７において、背面液晶装置２４にスルー画像と撮影条件とを表示してリターンする。
【００４６】
ステップＳ１において、ライブビューモードに設定されていないと判断されるとステップＳ４１へ進み、撮影開口を遮光するようにシャッタ１３を制御するとともに、表示装置６０を退避位置に退避させるように表示装置駆動部１４０を制御してステップＳ４３へ進む。ステップＳ４３において、メインミラー１１をミラーダウン位置に回動するようにシーケンス駆動機構２２を制御してステップＳ４５へ進む。ステップＳ４５において、各部のチャージを行うようシーケンス駆動機構２２を制御してステップＳ４７へ進む。
【００４７】
ステップＳ４７において、レリーズボタン３が押圧されてレリーズ信号が入力されるまで待機する。ステップＳ４７が肯定判断されるとステップＳ４９へ進み、公知の測光、測距の制御を行うとともに、退避位置に退避した表示装置６０の、第２視野枠５２の第２開口部５２ｂに対向する範囲に撮影条件を表示させてステップＳ５１へ進む。ステップＳ５１において、メインミラー１１をミラーアップ位置に回動するようにシーケンス駆動機構２２を制御するとともに、表示装置６０の撮影条件表示を中止してステップＳ５３へ進む。
【００４８】
ステップＳ５３において、所定時間だけ撮影開口を開放するようにシャッタ１３を制御するとともに、いわゆる電子シャッタと呼ばれる撮像素子１５による露光制御を行ってステップＳ５５へ進む。ステップＳ５５において、ステップＳ５３で得られた被写体像の画像データを記録する処理、および、公知の各部のチャージを行うようシーケンス駆動機構２２を制御してステップＳ５７へ進む。ステップＳ５７において、背面液晶装置２４に所定時間だけレックレビュー表示を行うように制御してリターンする。
【００４９】
本発明による観察装置を適用したカメラボディ１では、次の作用効果を奏する。
（１）  表示装置６０が、焦点板５０を移動することなく焦点板５０とペンタプリズム１０１との間の光学光路中に挿抜されるように構成したので、高い配置精度が要求される焦点板５０を移動しなくても、ファインダでスルー画像を観察できるようになる。これにより、焦点板５０の配置精度確保と、ファインダでスルー画像を観察することによる利便性とを両立できる。
【００５０】
（２）  表示装置６０が、焦点板５０とペンタプリズム１０１との間の光学光路中で焦点板５０の結像位置とは異なる位置に挿入されるように構成したので、表示装置６０の光学光路中への挿入に際し、焦点板５０を移動する必要がなくなり、焦点板５０の配置精度を確保できる。
【００５１】
（３）  焦点板５０より接眼部１ａ側に表示装置６０を挿入するように構成したので、焦点板５０を介することなく表示装置６０の表示内容を観察できるので、鮮明な表示画像を観察できる。
【００５２】
（４）  メインミラー１１の回動位置に連動して表示装置６０を焦点板５０とペンタプリズム１０１との間の光学光路中に挿抜するように構成した。これにより、表示装置６０の位置やメインミラー１１の回動位置を撮影者が特に意識しなくてもよいので、利便性が高い。
【００５３】
（５）  焦点板５０とペンタプリズム１０１との間の光学光路中に、光路の光軸に対して表示装置６０が垂直に挿抜されるように構成した。これにより、ファインダ光学系の光軸方向の間隔が狭い部位にも表示装置６０を挿入できるので、ファインダユニット１００を光軸方向に大型化することがなく、ファインダユニット１００およびカメラボディ１の小型化に資する。
【００５４】
（６）  挿入位置に挿入された表示装置６０にスルー画像を表示するように構成したので、表示装置６０を電子ビューファインダーの表示器として用い、撮影者が接眼レンズ１０２を介して表示装置６０に表示された撮像画像を視認することができる。したがって、強い直射日光が当たる環境下であっても鮮明なスルー画像を視認できる。また、接眼部１ａに撮影者の顔面を当てて撮像できるので、動きの激しい被写体像の撮像時などであっても、スルー画像を容易に確認できる。これにより、撮影者の意図した画像を得易くなる。
【００５５】
（７）  表示装置６０の位置にかかわらず表示装置６０に撮影条件を表示させ、撮影者が接眼レンズ１０２を介して表示装置６０に表示された撮影条件を視認可能に構成した。これにより、撮影条件を表示させるための表示装置を削減できるので、低コスト化を図ることができる。
【００５６】
−−−変形例−−−
（１）  上述の説明では、焦点板５０とペンタプリズム１０１との間の光学光路中に、光路の光軸に対して表示装置６０が垂直に挿抜されるように構成したが、本発明はこれに限定されない。たとえば、ペンタプリズム１０１よりも接眼部１ａ側の光学光路中に表示装置６０を挿抜するように構成してもよい。図１１は、カメラボディ１を側面から見た断面図であり、接眼レンズ１０２を構成する各レンズの間に、表示装置６０を挿抜可能に構成した例を示している。このように、光路に沿って焦点板５０から離れた位置に矢印Ｂで示すように表示装置６０を挿入する場合、表示装置６０の表示内容を撮影者が視認できるように、ピント調節用のためのレンズ１０３を表示装置６０とともに挿抜可能に構成する必要がある。なお、レンズ１０３を設ける代わりに、接眼レンズ１０２を構成する各レンズ間の距離を変更することで、表示装置６０の表示内容を撮影者が視認できるようにしてもよい。
【００５７】
（２）  上述の説明では、撮像して得られる画像は静止画であるが、動画を撮影するように構成してもよく、動画の撮影時にスルー画像を表示装置６０または背面液晶装置２４に表示するようにしてもよい。この場合、撮像素子１５で撮像して得られた被写体像の画像データの記録とスルー画像の表示とを同時に行うこととなる。
【００５８】
（３）  上述の説明では、表示装置６０がファインダ光学系の光軸に対して垂直に移動するように構成しているが、本発明はこれに限定されない。たとえば、いわゆる電子ペーパーに用いられる表示装置のように可撓性を有する表示装置を上述した表示装置６０に用いて、退避位置に退避させた際に、曲げたり巻き取ったりするなど変形させた状態で退避させてもよい。
【００５９】
（４）  上述の説明では、表示装置６０には有機ＥＬ素子による表示装置を用いているが、他の種類の自発光性の表示装置、または、バックライト等の光源を有する表示装置などの薄型の表示装置を用いてもよい。上述した表示装置６０に用いる表示装置として、たとえば、各種の液晶材料を用いた液晶表示装置や、電子ペーパーに用いられる各種の表示装置などを用いることができる。なお、光源を要する表示装置を用いる場合、光源を表示装置とは別の場所に設けてもよい。
【００６０】
（５）  上述の説明では、本発明による観察装置をカメラに適用しているが、カメラ以外にも、双眼鏡や顕微鏡など、対象物を観察する各種の観察装置に本発明を適用してもよい。
【００６１】
（６）  上述の説明では、ライブビューモードに設定されているときの撮像時の測光および測距（図１０のステップＳ１９）は、撮像素子１５を用いたいわゆる像面ＡＥ、像面ＡＦであるが本発明はこれに限定されない。たとえば、ライブビューモードに設定されていないときの撮像時の測光および測距（図１０のステップＳ４９）と同様であってもよい。すなわち、ライブビューモードに設定されているときの撮像時の測光および測距を、不図示のＡＥセンサおよびＡＦセンサ１２を用いて行うようにしてもよい。この場合、測光および測距の直前に一旦ミラーダウンさせて不図示のＡＥセンサおよびＡＦセンサ１２に被写体光を導く必要がある。
（７）  上述した各実施の形態および変形例は、それぞれ組み合わせてもよい。
【００６２】
なお、本発明は、上述した実施の形態のものに何ら限定されず、観察する対象物の中間像が結像する光学部材と、発光する表示部材と、光学部材を移動させることなく、対象物を観察する光学光路中に表示部材を挿抜する表示部材移動手段とを備える各種構造の観察装置、および、この観察装置を備えたカメラを含むものである。
【図面の簡単な説明】
【００６３】
【図１】本発明を適用したカメラである一眼レフタイプのカメラボディ１の断面図である。
【図２】ファインダユニット１００の分解図である。
【図３】ファインダユニット１００の下部を下側斜め前方から見たときの分解図である。
【図４】表示装置６０および枠部品６１を示す図である。
【図５】ファインダケース１１０の下部を前方から見たときの断面を模式的に表す図である。
【図６】ファインダユニット１００の下部を下側斜め前方から見たときの、挿入位置に移動した表示装置６０を示す図である。
【図７】ファインダユニット１００の下部を下側斜め前方から見たときの、退避位置に移動した表示装置６０を示す図である。
【図８】ペンタプリズム１０１および接眼レンズ１０２を介して観察される被写体像を示す図である。
【図９】ペンタプリズム１０１、焦点板５０、および、表示装置６０をカメラボディ１の正面から見た断面図である。
【図１０】被写体像の撮像の際にカメラボディ１で行われる処理についてのフローチャートを示す図である。
【図１１】変形例を示す図である。
【符号の説明】
【００６４】
１  カメラボディ                            １１  メインミラー
１５  撮像素子                              ２２  シーケンス駆動機構
２３  ミラー駆動機構                        ５０  焦点板
６０  表示装置                              １４０  表示装置駆動部
【図１】
2008158441.tif 000003
【図２】
2008158441.tif 000004
【図３】
2008158441.tif 000005
【図４】
2008158441.tif 000006
【図５】
2008158441.tif 000007
【図６】
2008158441.tif 000008
【図７】
2008158441.tif 000009
【図８】
2008158441.tif 000010
【図９】
2008158441.tif 000011
【図１０】
2008158441.tif 000012
【図１１】
2008158441.tif 000013